(57)【要約】【課題】本発明は、股間の創傷部等の患部に密着した状態を保持することができ温熱作用を十分発揮することが可能な股間用温熱パッドを提供することを目的とするものである。【解決手段】股間用温熱パッド１は、袋体２の内部にゲル化物からなる蓄熱体が封入されて構成されている。袋体２は、２枚の合成樹脂製フィルムを重ね合わせて周縁部３を熱融着させて構成されている。袋体２は、中心線Ｔに対してほぼ線対称の形状に形成されており、中心線Ｔに沿って両側から略Ｖ字状の切込み部５が形成されている。袋体２の中心線Ｔの方向の最大長さＬは、中心線Ｔと直交する方向の長さＤとほぼ同じ長さに設定されている。股間の装着時には、切り込み部５で容易に折れ曲るように湾曲して股間に沿った形状となり、患部に密着した状態で安定して保持されるようになる。【選択図】図１
2010017454.tif 000002
【特許請求の範囲】
【請求項１】
柔軟性のある合成樹脂製フィルムを重ね合わせ周縁部を融着して形成された袋体と、前記袋体内に密封されるとともに高吸水性ポリマーに含水させたゲル化物からなる蓄熱体とを備えた股間用温熱パッドであって、前記袋体は、装着する股間の前後方向及び左右方向の最大長さが８ｃｍ〜１２ｃｍに設定されるとともに前後方向の中心線に沿って両側に略Ｖ字状の切り込み部が形成されており、前記蓄熱体は、前記袋体を水平に静置して前記袋体全体に均した状態で４ｍｍ〜８ｍｍの厚みとなる量が封入されていることを特徴とする股間用温熱パッド。
【請求項２】
装着する股間の前方側において前記中心線に沿って突出して前記袋体に一体形成された袋部と、前記袋部内に密封されるとともに高吸水性ポリマーに含水させたゲル化物からなる蓄熱体とを備えていることを特徴とする請求項１に記載の股間用温熱パッド。
【発明の詳細な説明】
【技術分野】
【０００１】
本発明は、股間に装着されて創傷部等の患部の温熱治療に用いられる股間用温熱パッドに関する。
【背景技術】
【０００２】
従来より温湯に浸した布片で患部を覆うことで充血を生じさせて患部の治癒を促進し、疼痛を緩和する温熱療法が行われている。こうした温熱療法では、布片以外に、例えば、特許文献１に記載されているように、フィルムの周縁部を熱融着して形成された袋に吸水膨張性樹脂粉の含水ゲルからなる蓄熱剤を密封した温熱治療用ホットパックが提案されている。また、特許文献２では、下着用のパンツに設けたポケットに使い捨てカイロを挿入して使用することで、膀胱及び肛門部分を温めて血行を高めた点が記載されている。
【０００３】
また、分娩時の会陰部切開による創傷部に対してもこうした温熱療法を施すことで治癒促進及び疼痛緩和の効果があることが報告されている。例えば、非特許文献１では、温めた高吸水性ポリマーパックを用いて会陰創傷部の温熱療法を行ったところ、創傷治癒促進効果がみられたと報告されている。
【特許文献１】登録実用新案第３０３２４８５号公報
【特許文献２】特開平４−１７６４５６号公報
【非特許文献１】横尾京子他編、ナーシンググラフィカ３１  母性看護学−母性看護技術、メディカ出版、２００７年２月１０日、ｐ．７４〜７５
【発明の開示】
【発明が解決しようとする課題】
【０００４】
非特許文献１に記載されているように、股間の会陰創傷部に対して温熱療法を行う場合、特許文献１に記載された矩形状のホットパックを使用すると、創傷部にホットパックを当接した状態に維持することが難しく、創傷部との間に空隙が生じると十分な温熱作用を与えることができなくなる。
【０００５】
特許文献２に記載されているように、使い捨てカイロを使用する場合、温熱温度が高くなりすぎて創傷部に対してダメージを与える副作用が生じるおそれがある。特許文献２に記載されたパンツのポケットに特許文献１に記載のホットパックを挿入して使用することも考えられるが、ホットパックを股間に挿入した状態で歩行したりしゃがんだりするとホットパックがずれて創傷部から外れた状態になりやすい。
【０００６】
そこで、本発明は、股間の創傷部等の患部に密着した状態を保持することができ温熱作用を十分発揮することが可能な股間用温熱パッドを提供することを目的とするものである。
【課題を解決するための手段】
【０００７】
本発明に係る股間用温熱パッドは、柔軟性のある合成樹脂製フィルムを重ね合わせ周縁部を融着して形成された袋体と、前記袋体内に密封されるとともに高吸水性ポリマーに含水させたゲル化物からなる蓄熱体とを備えた股間用温熱パッドであって、前記袋体は、装着する股間の前後方向及び左右方向の最大長さが８ｃｍ〜１２ｃｍに設定されるとともに前後方向の中心線に沿って両側に略Ｖ字状の切り込み部が形成されており、前記蓄熱体は、前記袋体を水平に静置して前記袋体全体に均した状態で４ｍｍ〜８ｍｍの厚みとなる量が封入されていることを特徴とする。さらに、装着する股間の前方側において前記中心線に沿って突出して前記袋体に一体形成された袋部と、前記袋部内に密封されるとともに高吸水性ポリマーに含水させたゲル化物からなる蓄熱体とを備えていることを特徴とする。
【発明の効果】
【０００８】
本発明は、上記のような構成を備えることで、股間の創傷部等の患部に対して蓄熱体を密着した状態に保持することができる。
【０００９】
すなわち、前後方向の中心線に沿って両側に略Ｖ字状の切り込み部が形成されているので、前後方向の中心線に沿って折れ曲るように湾曲しやすくなり、股間の形状に沿いやすくなる。分娩時の会陰部切開や痔のように股間の中央部分に形成される創傷部の場合には、温熱パッドが中心線に折れ曲るように湾曲するため創傷部に密着した状態で安定して保持されるようになる。
【００１０】
また、股間の前後方向及び左右方向の最大長さを８ｃｍ〜１２ｃｍに設定することで、股間全体を温熱パッドで覆うように保持される。そして、袋体を水平に静置して袋体全体に均した状態で４ｍｍ〜８ｍｍの厚みとなる量の蓄熱体が封入されているので、温熱パッド全体が薄く柔軟性を有するようになり、違和感なく装着することができる。
【００１１】
また、装着する股間の前方側において中心線に沿って突出して袋体に一体形成された袋部と、袋部内に密封されるとともに高吸水性ポリマーに含水させたゲル化物からなる蓄熱体とを備えることで、股間の前後方向にわたって蓄熱体を安定した状態で装着することができる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態に関する平面図であり、図２は、図１のＡ−Ａ断面図である。股間用温熱パッド１は、袋体２の内部にゲル化物からなる蓄熱体４が封入されて構成されている。袋体２は、２枚の合成樹脂製フィルム２ａ及び２ｂを重ね合わせて周縁部３を熱融着させて構成されている。合成樹脂フィルム２ａ及び２ｂは、ナイロンフィルム、ポリエステルフィルム、ポリ塩化ビニルフィルム、ポリ塩化ビニリデンフィルム、ポリエチレンフィルム等の公知の合成樹脂フィルムを組み合せた多層ラミネートフィルムを用いるとよい。特に、ガスバリア性、防水性、防湿性といった性能に優れたものを使用すればよい。
【００１４】
袋体２は、中心線Ｔに対してほぼ線対称の形状に形成されており、中心線Ｔに沿って両側から略Ｖ字状の切込み部５が形成されている。袋体２の中心線Ｔの方向の最大長さＬは、中心線Ｔと直交する方向の長さＤとほぼ同じ長さに設定されている。袋体２の大きさは、装着する股間のサイズに応じて適宜変更すればよく、長さＬ及びＤを８ｃｍ〜１２ｃｍに設定するとよい。会陰部切開による創傷部や切れ痔等による創傷部の場合、袋体２のサイズが８ｃｍよりも小さくなると、創傷部に対する温熱効果が十分発揮されない。また、袋体２のサイズが１２ｃｍ以上になると股間から大腿部にまで温熱パッドが拡がり歩行時等に違和感を生じるようになって使用感が悪くなる。
【００１５】
切り込み部５は、９０度前後の角度で切り開くように形成するとよい。切り込みの深さは、中心線Ｔに沿って折れ曲りやすくなるように１ｃｍ〜２ｃｍに設定すればよい。
【００１６】
この例では、袋体２全体の外形はリンゴの断面に類似した形状に形成されているが、長さＬ及びＤがほぼ同じで切り込み部が形成されていれば、こうした形状に限定されることはない。例えば、角の丸められた矩形状で切り込み部が形成されている形状にしてもよい。また、使用者の股間形状に合せて切り込み部を形成する位置を調整することもできる。
【００１７】
蓄熱体４には、高吸水性ポリマーに水分を吸収させて生成されたゲル化物を用いる。高吸水性ポリマーとしては、部分中和型ポリアクリル酸塩架橋体、デンプン−アクリロニトリルグラフト重合体の加水分解物、デンプン−アクリル酸グラフト重合体の中和物、酢酸ビニル−アクリル酸エステル共重合体のケン化物、アクリロニトリル共重合体もしくはアクリルアミド共重合体の加水分解物、またはこれらの架橋体等が挙げられる。高吸水性ポリマーを複数種類混合して用いてもよく、ゲル化安定剤を添加して粘度調整すればよい。
【００１８】
蓄熱体４は、６０℃前後の温湯に浸漬した状態で十分温めて使用した場合に、体温から１〜５℃程度、より好ましくは１〜２℃高い温度で２０分以上、より好ましくは３時間程度持続するような蓄熱特性を備えるものが温熱効果を発揮する上で好ましい。
【００１９】
蓄熱体４を封入する量は、袋体２を水平に静置して袋体２全体に均した状態で４ｍｍ〜８ｍｍの厚みとなる量に設定する。蓄熱体４をこの程度の厚みとすることで、袋体２が中心線Ｔに沿って折れ曲るように容易に変形することができ、また、装着時に袋体２全体に蓄熱体４が行き渡って温熱効果を保持することが可能となる。厚みが４ｍｍより小さくなると、装着時に袋体２内で蓄熱体４が下方に流動して偏在し、袋体２全体に行き渡らくなる。そして、上述した体温より高い温度を持続する時間が短くなって温熱効果が不十分になる。また、厚みが８ｍｍを超えると、袋体２が股間に沿って変形しにくくなり、装着時に患部に対して隙間が生じやすくなって十分な温熱効果が発揮されなくなる。
【００２０】
蓄熱体４の封入量としては、蓄熱体４の比重にもよるが、２５ｇ〜３５ｇ程度を目安に封入するとよい。
【００２１】
図３は、温熱パッド１の装着状態に関する底面図であり、図４は、温熱パッド１の装着状態に関する正面図である。大腿部Ｆの間の股間に温熱パッド１が装着された場合、温熱パッド１は、切り込み部５が形成された部分を結ぶ前後方向に沿う折れ曲り線Ｏで容易に折れ曲り、股間に沿うように湾曲形成される。そして、折れ曲り線Ｏを中心に股間の左右両側にほぼ同じ量の蓄熱体４が垂れ下がるように設定されるため、歩行等の動作時においても安定した状態に保持されるようになる。また、股間の左右両側に蓄熱体４が配置されるため、創傷部が形成される中心部を囲む領域に対して蓄熱体４が密着した状態に設定され、蓄熱体４による十分な温熱効果を持続させることが可能となる。
【００２２】
温熱パッド１は、適当な装着手段を用いて股間に装着するようにしてもよい。例えば、産褥ショーツに挿入して用いたり、生理用パッドに貼着して用いることで、違和感なく使用することができる。
【００２３】
図５は、図１に示す実施形態の変形例に関する平面図であり、図６は、図５の中心線Ｔ’−Ｔ’断面図である。この例では、温熱パッド１’の袋体２’の前方側に、帯状の袋部６が一体形成されている。袋体２’の構成は図１と同様であり、蓄熱体４’についても図１と同様のものを同量封入している。袋部６は、袋体２’と同様に合成樹脂製フィルムを２枚重ね合わせて周縁部７を融着しており、袋体２’との間の接続部分が一体化されている。袋部６内には蓄熱体４’と同様の蓄熱体８が封入されている。
【００２４】
袋部６の中心線Ｔ’−Ｔ’方向の長さは、袋体２’の長さＬと同程度の長さに設定されており、中心線Ｔ’−Ｔ’と直交する方向の長さはその半分程度の長さに設定されている。また、蓄熱体８の封入量は、蓄熱体４’と同様に、袋部６を水平に静置して袋部６全体に均した状態で４ｍｍ〜８ｍｍの厚みとなる量に設定すればよい。
【００２５】
このように股間の前方側において中心線Ｔ’−Ｔ’に沿って突出して袋部６を形成することで、袋体２’を装着した場合にその前方側についても袋部６を密着させて股間の前後方向に幅広く温めることができる。また、袋部６が袋体２’よりも細長く帯状に形成されているので、使用時においても違和感なく装着することが可能となる。
【実施例】
【００２６】
ナイロンフィルム（株式会社興人製）及び低密度ポリエチレンフィルム（株式会社出光ユニテック製）の二層からなるラミネートフィルムを用いて図１に示す袋体の形状に成形加工した。長さＬ及びＤを１０ｃｍに設定し、切り込み部の深さを１ｃｍに設定した。
【００２７】
蓄熱体となる高吸水性ポリマーとしてアクリル酸ソーダ重合体の粉末（株式会社中村理科工業製）を用い、粉末０．１ｇに精製水５０ミリリットルを吸収させてゲル化物を調製した。そして、調製したゲル化物３０ｇを袋体に封入し周縁部を熱融着して温熱パッドを作製した。その際に袋体内に空気ができるだけ残留しないようにした。作製された温熱パッドは、水平に静置して全体に均した状態で６ｍｍの厚さとなった。
【００２８】
作製した温熱パッドを５８℃の温湯で５分間温めた後、温湯から取り出して表面温度が４０℃になるまで自然冷却した。そして、表面温度が４０℃に冷却された温熱パッドを産褥ショーツ（ビジョン社製商品番号６５７０００２Ｍ１２）に挿着して着用した。着用後の使用感については、違和感がなく温熱パッドが股間に沿って密着した状態で保持され歩行動作においてもずれることなく安定していた。
【００２９】
図７は、温熱パッドを股間に装着した２人の女性について外陰部の表面温度の推移を測定した結果を示すグラフである。このグラフからわかるように、装着直後に表面温度が上昇するものの体温から５℃以内の温度になっており、装着時にそれほど熱さを感じることはない。以後表面温度は次第に低下していくが、３時間経過するまでは体温からほぼ１℃高い温度に維持されており、温熱効果が持続されていることがわかる。
【００３０】
次に、同形状の袋体にゲル化物をそれぞれ２０ｇ、３０ｇ、３６ｇ封入した３種類の温熱パッドを作製し、各温熱パッドを産褥ショーツにそれぞれ挿着して着用した。図８は、着用後の外陰部の表面温度の推移を測定した結果を示すグラフである。このグラフからわかるように、封入量が３０ｇの場合には３時間経過するまで体温からほぼ１℃高い温度が維持されているが、２０ｇ及び３６ｇでは体温レベルまで低下している。これは、２０ｇではゲル化物の封入量が少ないため、体温より高い温度を長時間維持できなかったものと考えられる。また、３６ｇの場合には、外陰部に対して温熱パッドの密着性が不十分で、隙間が空いていたため温度を維持できなかったと考えられる。
【図面の簡単な説明】
【００３１】
【図１】本発明に係る実施形態に関する平面図である。
【図２】図１のＡ−Ａ断面図である。
【図３】温熱パッドの装着状態に関する底面図である。
【図４】温熱パッドの装着状態に関する正面図である。
【図５】図１に示す実施形態の変形例に関する平面図である。
【図６】図５のＴ’−Ｔ’断面図である。
【図７】装着時における外陰部の表面温度の推移を示すグラフである。
【図８】ゲル化物の封入量を変えた場合における外陰部の表面温度の推移を示すグラフである。
【符号の説明】
【００３２】
１    温熱パッド
２    袋体
３    周縁部
４    蓄熱体
５    切り込み部
６    袋部
７    周縁部
８    蓄熱体
【図１】
2010017454.tif 000003
【図２】
2010017454.tif 000004
【図３】
2010017454.tif 000005
【図４】
2010017454.tif 000006
【図５】
2010017454.tif 000007
【図６】
2010017454.tif 000008
【図７】
2010017454.tif 000009
【図８】
2010017454.tif 000010